(57)【要約】      （修正有）【課題】文化財情報に関連して広告情報を表示させる広告システムを提供する。【解決手段】広告システム１００は、クラウドサーバ２００が、第１端末３００及び第２端末４００と通信可能な通信部２１０と、３６０°ＶＲ画像を含む文化財情報を第２端末の第２表示部４３０に表示させる文化財情報部２２０と、広告情報を第２端末の第２表示部４３０に表示させる広告情報部２３０と、第２端末４００からクラウドサーバ２００にアクセスしたアクセス数をカウントするカウント部２６０と、文化財を所持する神社仏閣に対して、広告主から支払われた広告料の一部が、カウント部２６０でカウントされたアクセス数に応じて、第１端末３００の使用者によって、文化財保護費用として支払われる支払額を算出する文化財保護費用算出部２７０と、を含む。通信部２１０を介して第２端末の第２表示部４３０に表示される文化財情報であるＶＲ画像上に、広告情報を表示させる。【選択図】図１
2019071040.tif 000002
【特許請求の範囲】
【請求項１】
少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化財情報を前記第２端末の表示部に表示させる文化財情報部と、
広告情報を前記第２端末の表示部に表示させる広告情報部と、
前記第２端末から前記サーバにアクセスしたアクセス数をカウントするカウント部と、
前記文化財を所持し前記第１端末の使用者とは異なる神社仏閣に対して、広告主から支払われた広告料の少なくとも一部が、前記カウント部でカウントされたアクセス数に応じて、前記第１端末の使用者によって、文化財保護費用として支払われる支払額を、算出する文化財保護費用算出部と、を含み、
前記通信部を介して前記第２端末の表示部に表示される前記文化財情報であるＶＲ画像上に、前記広告情報を表示させる広告システム。
【請求項２】
少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化財情報を前記第２端末の表示部に表示させる文化財情報部と、
広告情報を前記第２端末の表示部に表示させる広告情報部と、
前記第２端末から前記広告情報にアクセスしたアクセス数をカウントするカウント部と、
前記文化財を所持し前記第１端末の使用者とは異なる神社仏閣に対して、広告主から支払われた広告料の少なくとも一部が、前記カウント部でカウントされたアクセス数に応じて、前記第１端末の使用者によって、文化財保護費用として支払われる支払額を、算出する文化財保護費用算出部と、を含み、
前記通信部を介して前記第２端末の表示部に表示される前記文化財情報であるＶＲ画像上に、前記広告情報を表示させる広告システム。
【請求項３】
前記文化財保護費用算出部が、前記カウント部でカウントされたアクセス数に応じて広告料が算出され、該広告料に基づいて文化財保護費用として支払われる支払額が算出されるものである請求項１又は２記載の広告システム。
【請求項４】
前記通信部と前記第２端末の通信が前記神社仏閣の敷地内で行われる請求項１、２又は３記載の広告システム。
【請求項５】
前記通信部を介して前記第２端末の表示部に、登録された店舗等で使用可能なクーポンを発行するクーポン発行部を含み、
前記クーポン発行部が、前記第２端末の表示部に広告動画を再生する広告動画部と、
前記広告動画が所定時間再生後又は終了後にクーポン選択画面を、前記第２端末の表示部に表示させるクーポン選択発行部と、を含み、
前記クーポン選択発行部によって表示されたクーポン選択画面からクーポンが選択されることにより、前記クーポンが前記第２端末の表示部に表示される請求項１乃至４記載の広告システム。
【請求項６】
少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む文化財情報を前記第２端末の表示部に表示させる文化財情報表示処理と、
広告情報を前記第２端末の表示部に表示させる広告情報表示処理と、
前記第２端末から前記サーバにアクセスしたアクセス数をカウントするカウント処理と、
前記文化財を所持し前記第１端末の使用者とは異なる神社仏閣に対して、広告主から支払われた広告料の少なくとも一部が、前記カウント部でカウントされたアクセス数に応じて、前記第１端末の使用者によって、文化財保護費用として支払われる支払額を、算出する文化財保護費用算出処理と、を含み、
前記通信処理により前記第２端末の表示部に表示される前記文化財情報であるＶＲ画像上に、前記広告情報を表示させる広告システムのプログラム。
【請求項７】
少なくとも第１端末及び第２端末と、前記第１端末及び前記第２端末と通信可能なサーバを含む広告方法であって、
３６０°ＶＲ画像を含む文化財情報を前記第２端末の表示部に表示させる文化財情報表示工程と、
前記第２端末の表示部に表示される前記文化財情報であるＶＲ画像上に広告情報を表示させる広告情報表示工程と、
前記第２端末から前記サーバにアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、文化財を所有し前記第１端末の使用者とは異なる神社仏閣に対して前記広告料の少なくとも一部が文化財保護費用として支払われる文化財保護費用支払工程と、を含む広告方法。
【請求項８】
第１端末の使用者が前記文化財を所持する神社仏閣の敷地内に無線通信機器を設置する無線通信機器設置工程と、
第２端末の利用者が、前記無線通信機器による無線通信を利用して通信する通信工程と、を含む請求項７記載の広告方法。
【発明の詳細な説明】
【技術分野】
【０００１】
本発明は、広告システム、広告システムプログラム及び広告システム方法に関する。
【背景技術】
【０００２】
従来、寺院や神社等の文化財のある観光地では、無料Ｗｉ−Ｆｉ等の無線通信によるインターネットサービスが充実していなかった。
【０００３】
しかし、無料のＷｉ−Ｆｉサービス等を提供するには、費用がかかりコスト面で問題があった。
【０００４】
また、寺院や神社等の神社仏閣は、せっかく寺院や神社に来た観光客が、目の前の文化財を観ず、スマートフォン等の端末ばかり見ることに対して快く思っていないことも多かった。
【０００５】
そのため、寺院や神社等の神社仏閣は、無料Ｗｉ−Ｆｉ等の無線通信機器が神社仏閣の敷地内に設置されることに対して快く思っていないことも多く、設置が進んでいなかった。
【０００６】
しかし、観光客は、神社仏閣の文化財に対して知識が少ないことも多く、表札等には表示されている文化財の情報だけでは足りないと思うことも多かった。
【０００７】
また、外国人観光客は、無料のＷｉ−Ｆｉを活用している人も多いが、神社仏閣の敷地内で文化財等の様々な情報を得たいと思っているにも関わらず、スマートフォンやタブレット等の端末を利用することができないという問題があった。
【０００８】
一方、寺院や神社等は文化財を保護していくための費用も捻出しなければならないという問題があった。
【０００９】
特許文献１は、地図スペースのコンテンツアイテムを選択するためのオンライン地図広告システムである。特許文献１では、ウェブ上の地図スペースの空欄部分に広告を掲載することが記載されている。
【先行技術文献】
【特許文献】
【００１０】
【特許文献１】特開２０１５−０９２３４４号公報
【発明の概要】
【発明が解決しようとする課題】
【００１１】
上記問題に対して、特許文献１のようにウェブ上の広告費用を充当することが考えられる。しかし、特許文献１に係る発明では、寺院や神社等の文化財を所有しているところではあまり活用することができず、広告費用を得ることはでき難い。
【００１２】
本発明の目的は、文化財情報に関連して広告情報を表示させる広告システム、広告システムプログラム、広告方法を提供することである。
【００１３】
本発明の他の目的は、文化財保護費用を捻出する広告システム、広告システムプログラム、広告方法を提供することである。
【課題を解決するための手段】
【００１４】
本発明の第１の局面に係る広告システムは、少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化財情報を前記第２端末の表示部に表示させる文化財情報部と、
広告情報を前記第２端末の表示部に表示させる広告情報部と、
前記第２端末から前記サーバにアクセスしたアクセス数をカウントするカウント部と、
前記文化財を所持し前記第１端末の使用者とは異なる神社仏閣に対して、前記第１端末の使用者によって、広告主から支払われた広告料の少なくとも一部が、前記カウント部でカウントされたアクセス数に応じて、文化財保護費用として支払われる支払額を、算出する文化財保護費用算出部と、を含み、
前記通信部を介して前記第２端末の表示部に表示される前記文化財情報であるＶＲ画像上に、前記広告情報を表示させる広告システムである。
【００１５】
「文化財情報」とは、寺院、神社等の文化財に関連する情報のことである。文化財情報には、文化財画像（文化財画像データ）及び当該画像に関連する情報が含まれる。また、文化財情報には、寺院、神社等の由縁や歴史、成り立ちといった内容も含まれる。つまり、文化財情報には動画や文字情報も含まれる。
【００１６】
「文化財」とは、文化財保護法によって保護される国宝、重要文化財、史跡、名勝又は天然記念物だけでなく、人類の文化的活動によって生み出された有形又は無形の文化的所産のことをいう。
【００１７】
広告情報には、文字情報だけでなく、広告情報画像及び当該画像に関連する情報が含まれる。また、広告情報の表示による広告料の少なくとも一部は、広告料を得た第１端末の使用者が、文化財を有する神社仏閣に支払い、当該神社仏閣は、その広告料を文化財保存のために用いる。
【００１８】
文化財情報と共に広告情報が端末の表示部に表示されるため、第２端末の利用者にとっては、文化財情報を入手すると共に、例えばその文化財が設けられている場所（地域）の周辺の広告情報（例えば店舗情報等）も入手することができ、観光に利用することができるという利点がある。
【００１９】
また、広告主にとっては、文化財情報と共に広告情報が端末の表示部に表示されるため、例えば、広告の対象である店舗や商品等のブランド化に繋がるという利点がある。
【００２０】
広告主は、支払った広告料からどの程度文化財保護費用として支払われているか明確になるため、広告料を第１端末の使用者に対して支払いやすい。
【００２１】
また、文化財が設けられている寺院や神社等にとっては、第１端末の使用者から支払われた広告収入を文化財の保護費用に充当することができるという利点がある。そして、文化財が設けられている寺院や神社等は、広告収入により文化財の修繕等を行い、文化財を保護することができる。
【００２２】
また、第１端末の使用者が広告主から得た広告料の少なくとも一部が、第１端末の使用者から神社仏閣に対して、文化財保護費用として支払われるため、文化財を有する神社仏閣は、設備投資等の費用負担がなく費用リスクをなくすことができるという利点がある。
【００２３】
また、広告情報が文化財情報と共に第２端末に表示されることにより生じる広告費用が、文化財保護費用に充当されることにより、観光客等の端末の利用者は、端末に表示される広告を見ることで観光地の文化財保護に繋がり、社会貢献をすることができる。
【００２４】
第２端末の利用者は、サーバ（所定のＷｅｂサイト）にアクセス（通信）することにより、普段公開されていない文化財を３６０°ＶＲ（Ｖｉｒｔｕａｌ  Ｒｅａｌｉｔｙ）画像で見ることができる場合もあり、第２端末の利用者にとっても利益がある。  
【００２５】
また、文化財が設けられている場所の周辺の企業、店舗等は、広告情報が文化財情報と共に端末に表示されることにより、観光客等の端末の利用者に対して広告宣伝できるだけでなく、その広告費用が文化財保護費用に充当されることにより、文化財保護という地域貢献、社会貢献、ＣＳＲ（Ｃｏｒｐｏｒａｔｅ  Ｓｏｃｉａｌ  Ｒｅｓｐｏｎｓｉｂｉｌｉｔｙ）活動を行うことができる。
【００２６】
したがって、地域貢献、社会貢献、ＣＳＲ活動でどのようなことをすればよいか困っている企業の手助けとなる。
【００２７】
また、当該広告費用が文化財保護費用に充当されることにより、文化財が保護され、観光地として活性化する。そのため、国又は地方公共団体にとっては、地域経済の活性化という利点がある。
【００２８】
また、観光地として文化財が設けられている地域が活性化することにより、大企業等の企業の地方への注目度が高まり、大企業等の企業が、文化財が設けられている地域に投資し、より地域経済が活性化するという効果を有する。
【００２９】
本発明の第２の局面に係る広告システムは、少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化財情報を前記第２端末の表示部に表示させる文化財情報部と、
広告情報を前記第２端末の表示部に表示させる広告情報部と、
前記第２端末から前記広告情報にアクセスしたアクセス数をカウントするカウント部と、
前記文化財を所持し前記第１端末の使用者とは異なる神社仏閣に対して、前記第１端末の使用者によって、広告主から支払われた広告料の少なくとも一部が、前記カウント部でカウントされたアクセス数に応じて、文化財保護費用として支払われる支払額を、算出する文化財保護費用算出部と、を含み、
前記通信部を介して前記第２端末の表示部に表示される前記文化財情報であるＶＲ画像上に、前記広告情報を表示させる広告システムである。
【００３０】
第２端末の利用者が、第２端末に表示される広告情報にアクセスした場合に、そのアクセス数がカウントされ、そのカウント数に応じて文化財保護費用が算出されてもよい。このような広告システムであっても上記と同様の効果を奏する。
【００３１】
本発明の第３の局面に係る広告システムは、第１の局面又は第２の局面に係る広告システムであって、前記文化財保護費用算出部が、前記カウント部でカウントされたアクセス数に応じて広告料が算出され、該広告料に基づいて文化財保護費用として支払われる支払額が算出されるの広告システムである。
【００３２】
カウント部でカウントされたアクセス数に応じて文化財保護費用が算出されるが、当該算出は、アクセス数に応じて広告料が算出され、当該広告料に基づいて文化財保護費用が算出されるものであってもよい。このような広告システムであっても上記と同様の効果を奏する。
【００３３】
具体的には、サーバにアクセスしたアクセス数に応じて広告料が算出され、広告主が算出された広告料を第１端末の使用者に対して支払う。そして、当該広告料から文化財保護費用が算出され、第１端末の使用者が、文化財を有する神社仏閣に対して支払う。そのため、間接的にサーバにアクセスしたアクセス数に応じて文化財保護費用が算出される。
【００３４】
本発明の第４の局面に係る広告システムは、第１の局面、第２の局面又は第３の局面に係る広告システムであって、前記通信部と前記第２端末の通信が前記神社仏閣の敷地内で行われる広告システムである。
【００３５】
文化財を有する神社仏閣は、Ｗｉ−Ｆｉ等の無線通信機器を設置することに対して否定的なところが多い。そのため、文化財を有する神社仏閣の敷地内で、本発明に係る広告システムが実施されることにより、広告主、第１端末の使用者、第２端末の利用者、文化財を有する神社仏閣にとって、非常に利点がある。
【００３６】
本発明の第５の局面に係る広告システムは、第１の局面乃至第４の局面に係る広告システムであって、前記通信部を介して前記第２端末の表示部に、登録された店舗等で使用可能なクーポンを発行するクーポン発行部を含み、
前記クーポン発行部が、前記第２端末の表示部に広告動画を再生する広告動画部と、
前記広告動画が所定時間再生後又は終了後にクーポン選択画面を、前記第２端末の表示部に表示させるクーポン選択発行部と、を含み、
前記クーポン選択発行部によって表示されたクーポン選択画面からクーポンが選択されることにより、前記クーポンが前記第２端末の表示部に表示される広告システムである。
【００３７】
第２端末の利用者に広告動画を視聴してもらうことにより、広告効果がより効果的となる。
【００３８】
また、第２端末の利用者は、広告動画を視聴するだけで登録されている店舗等の割引クーポンやサービス追加クーポンを取得することができるため、広告動画へのアクセス数も向上する。
【００３９】
また、第２端末の利用者は、広告動画を視聴することによって文化財保護に貢献することができる。
【００４０】
本発明の第６の局面に係る広告システムは、第１の局面乃至第５の局面に係る広告システムであって、前記通信部を介して前記端末の表示部に地図情報を表示させる地図情報部、
前記端末の表示部に観光情報を表示させる観光情報部、
前記端末の表示部に交通情報を表示させる交通情報部、
前記端末の表示部に緊急情報を表示させる緊急情報部、
及び、前記端末の表示部に、目的地までの案内情報を表示させる案内情報部、の少なくともいずれかを含むものが好ましい。また、天気情報が前記端末の表示部に表示されてもよい。
【００４１】
このようなものであれば、端末の表示部に文化財情報と共に、観光情報、交通情報、緊急情報又は案内情報が表示されるため、端末の利用者にとって活用し易くなる。
【００４２】
具体的には、文化財が設けられている寺院や神社等の周辺の観光情報がわかる。また、文化財が設けられている寺院や神社等へどの交通機関を利用すればよいかといった交通情報がわかる。また、災害時の避難情報等の緊急情報がわかる。また、目的地まで案内する案内情報がわかる。
【００４３】
「観光情報」とは、文化財が設けられている場所の地域や都道府県の観光スポット情報、店舗情報、商品情報、ホテル情報、旅館情報、ゲストハウス情報、イベント情報、体験情報等のことである。
【００４４】
「イベント情報」とは、その時期に行われている各種イベントのことである。
【００４５】
「体験情報」とは、座禅体験、刺繍体験、着付体験等の様々の体験情報のことである。
【００４６】
「交通情報」とは、目的地までどのバスやどの電車に乗ればよいかといったアクセス情報、交通渋滞情報、事故情報、交通規制情報等のことである。
【００４７】
「緊急情報」とは、緊急地震速報、津波警報、気象等に関する特別警報等のことである。
【００４８】
「案内情報」とは、ナビゲーションシステムを用いた目的地までの案内情報のことである。
【００４９】
本発明の第７の局面に係る広告システムのプログラムは、少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む文化財情報を前記第２端末の表示部に表示させる文化財情報表示処理と、
広告情報を前記第２端末の表示部に表示させる広告情報表示処理と、
前記第２端末から前記サーバにアクセスしたアクセス数をカウントするカウント処理と、
前記文化財を所持し前記第１端末の使用者とは異なる神社仏閣に対して、前記第１端末の使用者によって、広告主から支払われた広告料の少なくとも一部が、前記カウント部でカウントされたアクセス数に応じて、文化財保護費用として支払われる支払額を、算出する文化財保護費用算出処理と、を含み、
前記通信処理により前記第２端末の表示部に表示される前記文化財情報であるＶＲ画像上に、前記広告情報を表示させる広告システムのプログラムである。
【００５０】
文化財情報と共に広告情報が端末の表示部に表示されるため、第２端末の利用者にとっては、文化財情報を入手すると共に、例えばその文化財が設けられている場所の周辺の広告情報（例えば店舗情報等）も入手することができ、観光に利用することができるという利点がある。
【００５１】
また、広告主にとっては、文化財情報と共に広告情報が第２端末の表示部に表示されるため、例えば、広告の対象である店舗や商品等のブランド化に繋がるという利点がある。
【００５２】
また、文化財が設けられている寺院や神社等にとっては、第１端末の使用者から支払われた広告収入を文化財の保護費用に充当することができるという利点がある。そして、文化財が設けられている寺院や神社等は、広告収入により文化財の修繕等を行い、文化財を保護することができる。
【００５３】
また、第１端末の使用者が得た広告料の少なくとも一部が、第１端末の使用者から文化財保護費用として支払われるため、文化財を有する神社仏閣は、設備投資等の費用負担がなく費用リスクをなくすことができるという利点がある。
【００５４】
また、広告情報が文化財情報と共に端末に表示されることにより生じる広告費用が、文化財保護費用に充当されることにより、観光客等の端末の利用者は、端末に表示される広告を見ることで観光地の文化財保護に繋がり、社会貢献をすることができる。  
【００５５】
また、文化財が設けられている場所の周辺の企業、店舗等は、広告情報が文化財情報と共に端末に表示されることにより、観光客等の端末の利用者に対して広告宣伝できるだけでなく、その広告費用が文化財保護費用に充当されることにより、文化財保護という地域貢献、社会貢献、ＣＳＲ活動を行うことができる。
【００５６】
したがって、地域貢献、社会貢献、ＣＳＲ活動でどのようなことをすればよいか困っている企業の手助けとなる。
【００５７】
また、当該広告費用が文化財保護費用に充当されることにより、文化財が保護され、観光地として活性化する。そのため、国又は地方公共団体にとっては、地域経済の活性化という利点がある。
【００５８】
また、観光地として文化財が設けられている地域が活性化することにより、大企業等の企業の地方への注目度が高まり、大企業等の企業が、文化財が設けられている地域に投資し、より地域経済が活性化するという効果を有する。
【００５９】
本発明の第８の局面に係る広告システムのプログラムは、第７の局面に係る広告システムのプログラムであって、前記通信処理を介して前記第２端末の表示部に、登録された店舗等で使用可能なクーポンを発行するクーポン発行処理を含み、
前記クーポン発行処理が、前記第２端末の表示部に広告動画を再生する広告動画処理と、
前記広告動画が所定時間再生後又は終了後にクーポン選択画面を、前記第２端末の表示部に表示させるクーポン選択発行処理と、を含み、
前記クーポン選択発行処理によって表示されたクーポン選択画面からクーポンが選択されることにより、前記クーポンが前記第２端末の表示部に表示される広告システムのプログラムである。
【００６０】
第２端末の利用者に広告動画を視聴してもらうことにより、広告効果がより効果的となる。
【００６１】
また、第２端末の利用者は、広告動画を視聴するだけで登録されている店舗等の割引クーポンやサービス追加クーポンを取得することができるため、広告動画へのアクセス数も向上する。
【００６２】
また、第２端末の利用者は、広告動画を視聴することによって文化財保護に貢献することができる。
【００６３】
本発明の第９の局面に係る広告システムのプログラムは、第７の局面又は第８の局面に係る広告システムのプログラムであって、前記通信処理により前記端末の表示部に地図情報を表示させる地図情報処理、
前記端末の表示部に観光情報を表示させる観光情報表示処理、
前記端末の表示部に交通情報を表示させる交通情報表示処理、
前記端末の表示部に緊急情報を表示させる緊急情報表示処理、
及び、前記端末の表示部に、目的地までの案内情報を表示させる案内情報表示処理、の少なくともいずれかを含むプログラムである。
【００６４】
このようなものであれば、端末の表示部に文化財情報と共に、観光情報、交通情報、緊急情報又は案内情報が表示されるため、端末の利用者にとって活用し易くなる。
【００６５】
具体的には、文化財が設けられている寺院や神社等の周辺の観光情報がわかる。また、文化財が設けられている寺院や神社等へどの交通機関を利用すればよいかといった交通情報がわかる。また、災害時の避難情報等の緊急情報がわかる。また、目的地まで案内する案内情報がわかる。
【００６６】
本発明の第１０の局面に係る広告方法は、少なくとも第１端末及び第２端末と、前記第１端末及び前記第２端末と通信可能なサーバを含む広告システムの方法であって、
３６０°ＶＲ画像を含む文化財情報を前記第２端末の表示部に表示させる文化財情報表示工程と、
前記第２端末の表示部に表示される前記文化財情報であるＶＲ画像上に広告情報を表示させる広告情報表示工程と、
前記第２端末から前記サーバにアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、文化財を所有し前記第１端末の使用者とは異なる神社仏閣に対して前記広告料の少なくとも一部が文化財保護費用として支払われる文化財保護費用支払工程と、を含む広告システムの方法。
である。
【００６７】
文化財情報と共に広告情報が端末の表示部に表示されるため、端末の利用者にとっては、文化財情報を入手すると共に、例えばその文化財が設けられている場所の周辺の広告情報（例えば店舗情報等）も入手することができ、観光に利用することができるという利点がある。
【００６８】
また、広告主にとっては、文化財情報と共に広告情報が端末の表示部に表示されるため、例えば、広告の対象である店舗や商品等のブランド化に繋がるという利点がある。
【００６９】
また、文化財が設けられている寺院や神社等にとっては、広告主から広告料を得た第１端末の使用者が支払った広告収入を文化財の保護費用に充当することができるという利点がある。そして、文化財が設けられている寺院や神社等は、広告収入により文化財の修繕等を行い、文化財を保護することができる。
【００７０】
また、広告情報が文化財情報と共に端末に表示されることにより生じる広告費用が、文化財保護費用に充当されることにより、観光客等の端末の利用者は、端末に表示される広告を見ることで観光地の文化財保護に繋がり、社会貢献をすることができる。  
【００７１】
また、文化財が設けられている場所の周辺の企業、店舗等は、広告情報が文化財情報と共に端末に表示されることにより、観光客等の端末の利用者に対して広告宣伝できるだけでなく、その広告費用が文化財保護費用に充当されることにより、文化財保護という地域貢献、社会貢献、ＣＳＲ活動を行うことができる。
【００７２】
したがって、地域貢献、社会貢献、ＣＳＲ活動でどのようなことをすればよいか困っている企業の手助けとなる。
【００７３】
また、当該広告費用が文化財保護費用に充当されることにより、文化財が保護され、観光地として活性化する。そのため、国又は地方公共団体にとっては、地域経済の活性化という利点がある。
【００７４】
また、観光地として文化財が設けられている地域が活性化することにより、大企業等の企業の地方への注目度が高まり、大企業等の企業が、文化財が設けられている地域に投資し、より地域経済が活性化するという効果を有する。
【００７５】
本発明の第１１の局面に係る広告方法は、第１０の局面に係る広告方法であって、第１端末の使用者が前記文化財を所持する神社仏閣の敷地内に無線通信機器を設置する無線通信機器設置工程と、
第２端末の利用者が、前記無線通信機器による無線通信を利用して通信する通信工程と、を含む請求項７記載の広告方法。
【００７６】
神社仏閣の敷地内は、Ｗｉ−Ｆｉ等の無線通信機器が設置されていないことが多い。そのため、第２端末の利用者がサーバ（所定のＷｅｂサイト）にアクセス（通信）したくてもインターネットに接続できなければ、サーバ（所定のＷｅｂサイト）にアクセスできない場合がある。
【００７７】
そのため、第１端末の使用者が、文化財を所有する神社仏閣に敷地内にＷｉ−Ｆｉ等の無線通信機器を設置し、例えば通信費用を無料とすれば、外国人等の第２端末の利用者はサーバ（所定のＷｅｂサイト）にアクセスし易くなる。
【００７８】
本発明の第１２の局面に係る広告方法は、第１０の局面又は第１１の局面に係る広告方法であって、前記通信工程を介して前記第２端末の表示部に、登録された店舗等で使用可能なクーポンを発行するクーポン発行工程を含み、
前記クーポン発行工程が、前記第２端末の表示部に広告動画を再生する広告動画再生工程と、
前記広告動画が所定時間再生後又は終了後にクーポン選択画面を、前記第２端末の表示部に表示させるクーポン選択発行工程と、を含み、
前記クーポン選択発行工程によって表示されたクーポン選択画面からクーポンが選択されることにより、前記クーポンが前記第２端末の表示部に表示される広告方法である。
【００７９】
第２端末の利用者に広告動画を視聴してもらうことにより、広告効果がより効果的となる。
【００８０】
また、第２端末の利用者は、広告動画を視聴するだけで登録されている店舗等の割引クーポンやサービス追加クーポンを取得することができるため、広告動画へのアクセス数も向上する。
【００８１】
また、第２端末の利用者は、広告動画を視聴することによって文化財保護に貢献することができる。
【００８２】
本発明の第１３の局面に係る広告方法は、第１０の局面乃至第１２の局面に係る広告方法であって、前記端末の表示部に地図情報を表示させる地図情報表示工程、
前記端末の表示部に観光情報を表示させる観光情報表示工程、
前記端末の表示部に交通情報を表示させる交通情報表示工程、
前記端末の表示部に緊急情報を表示させる緊急情報表示工程、
及び、前記端末の表示部に、目的地までの案内情報を表示させる案内情報表示工程、の少なくともいずれかを含む方法が好ましい。
【００８３】
このようなものであれば、端末の表示部に文化財情報と共に、観光情報、交通情報、緊急情報又は案内情報が表示されるため、端末の利用者にとって活用し易くなる。
【００８４】
具体的には、文化財が設けられている寺院や神社等の周辺の観光情報がわかる。また、文化財が設けられている寺院や神社等へどの交通機関を利用すればよいかといった交通情報がわかる。また、災害時の避難情報等の緊急情報がわかる。また、目的地まで案内する案内情報がわかる。
【００８５】
なお、端末に表示される言語は、日本語、英語、中国語、韓国語、フランス語、ドイツ語等どのような言語であってもよい。
【図面の簡単な説明】
【００８６】
【図１】本発明に係る一実施形態における広告システムの概略図。
【図２】本発明に係る一実施形態における広告システムの概略図。
【図３】本発明に係る一実施形態における広告システムの概略図。
【図４】本発明に係る一実施形態における広告システムの端末の概念図。
【図５】本発明に係る一実施形態における広告システムの端末の概念図。
【図６】本発明に係る一実施形態における広告システムの概念図。
【図７】本発明に係る一実施形態における広告システムのフローチャート。
【図８】本発明に係る一実施形態における広告システムのフローチャート。
【図９】本発明に係る一実施形態における広告システムの部分概略図。
【図１０】本発明に係る一実施形態における広告システムの部分概略図。
【図１１】本発明に係る一実施形態における広告システムのフローチャート。
【発明を実施するための形態】
【００８７】
以下、本発明に係る広告システム１００の実施形態に関して図面を参照しながら説明する。
【００８８】
＜第１実施形態＞
図１に示すように、本実施形態に係る広告システム１００は、サーバであるクラウドサーバ２００と、
クラウドサーバ２００にアクセスすることが可能な端末である第１端末３００と、
クラウドサーバ２００にアクセスすることが可能な端末である第２端末４００と、を含む。
【００８９】
クラウドサーバ２００は、クラウド上に構築されたサーバであり、インターネットを通じてサーバ機能を利用することができるものである。なお、本実施形態では、サーバとしてクラウドサーバ２００を用いているが、通常のサーバであってもよい。
【００９０】
クラウドサーバ２００は、第１端末３００及び第２端末４００がインターネットで接続可能な通信部２１０と、
３６０°ＶＲ画像を含む文化財画像ＣＰ等の文化財情報を後述する第２端末４００の第２表示部４３０に表示させる文化財情報部２２０と、
広告情報画像ＡＩ等の広告情報を後述する第２端末４００の第２表示部４３０に表示させる広告情報部２３０と、
第２端末４００からのアクセス数をカウントするカウント部２６０と、
カウント部２６０でカウントされたアクセス数に応じて、文化財を所持し第１端末３００の使用者とは異なる神社仏閣に対して、第１端末３００の使用者によって、広告主から支払われた広告料の少なくとも一部が文化財保護費用として支払われる支払額を決定する文化財保護費用算出部２７０と、を含む。
【００９１】
通信部２１０は、第１端末３００及び第２端末４００と通信する。通信方法は、有線、無線いずれであってもよい。通信部２１０と第２端末４００との通信は、Ｗｉ−Ｆｉ、Ｂｅａｃｏｎ、ＬＴＥ（Ｌｏｎｇ  Ｔｅｒｍ  Ｅｖｏｌｕｔｉｏｎ）等の無線が好ましい。第１端末３００及び第２端末４００は、複数あってもよい。
【００９２】
本実施形態では、通信部２１０は、Ｗｉ−Ｆｉによってクラウドサーバ２００と、利用者の第２端末４００とが通信する。
【００９３】
本実施形態では、Ｗｉ−Ｆｉ等の無線通信機器は、第１端末３００の使用者又は第１端末３００の使用者からの依頼によって、神社仏閣の敷地内に設置されている。なお、既にＷｉ−Ｆｉ等の無線通信機器が設置されている場合は、当該Ｗｉ−Ｆｉ等の無線通信機器を利用してもよい。
【００９４】
また、第１端末３００の使用者は、広告主（図６では広告主Ａ、広告主Ｂ、広告主Ｃ）から広告料を徴収することにより、神社仏閣の敷地内に設置するＷｉ−Ｆｉ等の無線通信機器の設置費用、及び、通信費用を、第２端末４００の利用者から徴収しなくてもよくなる。
【００９５】
文化財情報部２２０は、第２端末４００の第２表示部４３０に３６０°ＶＲ画像を含む文化財画像ＣＰを表示させる。つまり、第２端末４００の利用者が、後述する第２通信部４１０を介してクラウドサーバ２００にアクセスすることにより、第２端末４００の第２表示部４３０に、３６０°ＶＲ画像を含む文化財画像ＣＰ等の文化財情報が表示される。
【００９６】
本実施形態では、文化財画像ＣＰは、３６０°ＶＲ画像であり、文化財は３６０°第２端末４００の画面（第２表示部４３０）上に表示される。
【００９７】
本実施形態では、文化財情報部２２０は、３６０°ＶＲ画像を制御する。つまり、第２端末４００の第２表示部４３０に表示される３６０°ＶＲ画像は、自動で動いているが、文化財情報部２２０は、その動きを制御する。
【００９８】
第２端末４００の利用者は、例えば第２端末４００がスマートフォンやタブレットの場合、第２端末４００の第２表示部４３０に触れることにより、３６０°ＶＲ画像の表示を操作することができる。
【００９９】
文化財情報部２２０は、第２端末４００の第２表示部４３０に文化財の説明文、文化財の歴史等の文字情報を表示させる。本実施形態では、文化財画像ＣＰである３６０°ＶＲ画像上に、当該文化財画像ＣＰに関連する文化財の説明文及び歴史等の文化財情報が、第２表示部４３０に表示される。
【０１００】
文化財の説明文及び歴史等の文化財情報は、３６０°ＶＲ画像と連動して、第２端末４００の第２表示部４３０上で移動するようにしてもよく、また、第２表示部４３０上に固定されてもよい。
【０１０１】
文化財情報部２２０は、文化財画像ＣＰとは別に文化財に関連する動画を保存し、第２表示部４３０に当該動画が表示されるようにしてもよい。
【０１０２】
広告情報部２３０は、広告情報画像ＡＩ等の広告情報を保存し、第２端末４００の第２表示部４３０に広告情報画像ＡＩ等の広告情報を表示させる。つまり、第２端末４００の利用者が、後述する第２通信部４１０を介してクラウドサーバ２００にアクセスすることにより、第２端末４００の第２表示部４３０に、広告情報画像ＡＩが表示される。
【０１０３】
本実施形態では、広告情報画像ＡＩである第１広告情報画像ＡＩ１は、３６０°ＶＲ画像を含む文化財画像ＣＰ上に表示される。また、第１広告情報画像ＡＩ１が、広告主のＷｅｂサイトとリンク付けされるようにしてもよい。
【０１０４】
第１広告情報画像ＡＩ１は、３６０°ＶＲ画像と連動して、第２端末４００の第２表示部４３０上で移動するようにしてもよく、また、第２表示部４３０上に固定されてもよい。
【０１０５】
第２端末４００の利用者は、例えば第２端末４００がスマートフォン又はタブレットの場合、当該利用者が第２表示部４３０であるディスプレイの第１広告情報画像ＡＩ１に触れる（選択する）ことにより、当該第１広告情報画像ＡＩ１のＷｅｂサイトが表示される。
【０１０６】
第１広告情報画像ＡＩ１が選択されると、割引チケット、イベントチケット等が表示されるようにしてもよい。また、当該割引チケット、イベントチケット等は、バーコード又は二次元バーコードで表示されるようにしてもよい。
【０１０７】
カウント部２６０は、第２端末４００からクラウドサーバ２００にアクセスしたアクセス数をカウントする。
【０１０８】
カウント部２６０は、広告情報画像ＡＩにアクセスしたアクセス数をカウントするものであってもよい。
【０１０９】
なお、カウント部２６０は、広告情報画像ＡＩが広告主のＷｅｂサイトとリンク付けされている場合、当該Ｗｅｂサイトにアクセスした場合のアクセス数をカウントするものであってもよい。
【０１１０】
文化財保護費用算出部２７０では、カウント部２６０によってカウントされたアクセス数に応じて広告料が算出される。
【０１１１】
そして、文化財保護費用算出部２７０では、算出された広告料に基づいて文化財保護費用が算出される。
【０１１２】
算出された文化財保護費用は、第１端末３００の使用者、又は当該使用者の依頼先から、文化財を所有する神社仏閣に対して支払われる。
【０１１３】
本実施形態では、第１端末３００の使用者と、文化財を所有する神社仏閣とは同一の者ではない。
【０１１４】
（第１端末３００）
端末である第１端末３００は、クラウドサーバ２００にアクセスするため、インターネットにアクセスするための通信機能である第１通信部３１０と、
後述する文化財画像ＣＰ等の文化財情報及び広告情報画像ＡＩ等の広告情報を保存する第１記憶部３２０と、
前記文化財画像ＣＰ等の文化財情報及び前記広告情報画像ＡＩ等の広告情報を表示する第１表示部３３０と、を含む。
【０１１５】
第１端末３００の例としては、パソコン、スマートフォン（携帯電話）、タブレットが挙げられる。
【０１１６】
第１通信部３１０は、インターネットをするための通信を行うところである。第１通信部３１０により、第１端末３００は、クラウドサーバ２００にアクセスすることができる。
【０１１７】
なお、第１通信部３１０では、Ｗｉ−Ｆｉ（無線ＬＡＮ）又は有線ＬＡＮ等でインターネットにアクセスすることも含む。
【０１１８】
第１記憶部３２０では、クラウドサーバ２００に保存されているＷｅｂサイトにアップロードするための３６０°ＶＲ画像を含む文化財画像ＣＰ等の文化財情報及び広告情報画像ＡＩ等の広告情報が保存される。
【０１１９】
なお、第１端末３００の作業者は、３６０°ＶＲ画像を含む文化財画像ＣＰ等の文化財情報及び広告情報画像ＡＩ等の広告情報を第１端末３００の第１記憶部３２０に保存したが、第１記憶部３２０に保存せずに、直接、クラウドサーバ２００にアップロードし、クラウドサーバ２００に保存してもよい。
【０１２０】
第１表示部３３０では、Ｗｅｂサイトにアップロードされた３６０°ＶＲ画像を含む文化財画像ＣＰ等の文化財情報及び広告情報画像ＡＩ等の広告情報を表示させることができる。
【０１２１】
つまり、作業者は、第１表示部３３０で表示される画面により文化財画像ＣＰ等の文化財情報及び広告情報画像ＡＩ等の広告情報の配置等の確認をすることができる。なお、第１記憶部３２０に保存されるのは、画像だけでなく動画であってもよい。また、画像は複数枚であってもよい。
【０１２２】
本実施形態では、文化財画像ＣＰは、３６０°ＶＲ画像（「ＶＲ３６０°画像」ともいう。）である。３６０°ＶＲ画像は、水平面だけでなく上下方向の画像も表示される。なお、文化財画像ＣＰは、動画であってもよい。
【０１２３】
（第２端末４００）
端末である第２端末４００は、インターネットにアクセスするための通信機能である第２通信部４１０と、
クラウドサーバ２００にアクセスするためのアプリケーションであるアプリ４２０と、
第２アプリ４１０のアイコン（図示しない）又はクラウドサーバ２００に保存されている文化財情報及び広告情報が表示される第２表示部４３０と、を含む。
【０１２４】
第２端末４００の例は、スマートフォン、ノートパソコン、タブレット等が挙げられる。
【０１２５】
第２通信部４１０は、インターネットにアクセスするための通信を行うところである。第２通信部４１０により、第２端末４００は、クラウドサーバ２００にアクセスすることができる。
【０１２６】
本実施形態では、第２端末４００の第２通信部４１０は、神社仏閣の敷地内で、Ｗｉ−Ｆｉ等の無線通信機器を利用してクラウドサーバ２００にアクセスすることができる。
【０１２７】
アプリ４２０は、クラウドサーバ２００にアクセスするためのアプリケーションソフトである。アプリ４２０が第２端末４００にダウンロードされることにより、第２端末４００の第２表示部４３０である画面上に、アプリ４２０のアイコン（図示しない）が表示される。
【０１２８】
アプリ４２０は、神社仏閣の敷地内に入るためのチケットや看板に表示されている二次元バーコードを読み取ることによってもダウンロードすることができる。
【０１２９】
本実施形態では、アプリ４２０のアイコン（図示せず）が第２端末４００の第２表示部４３０に表示されている。第２端末４００の利用者は、アプリ４２０のアイコンを選択することにより、第２通信部４１０を介して、クラウドサーバ２００にアクセスする。
【０１３０】
図４に示すように、第２表示部４２０では、第２端末４００が、クラウドサーバ２００にアクセスすることにより、３６０°ＶＲ画像を含む文化財画像ＣＰ（第１文化財画像ＣＰ１、第２文化財画像ＣＰ２）等の文化財情報及び広告情報画像ＡＩ（第１広告情報画像ＡＩ１）等の広告情報が表示される。
【０１３１】
図４では、文化財画像ＣＰである文化財画像ＣＰ１が第２表示部４２０全体に表示されている。そして、文化財画像ＣＰである文化財画像ＣＰ２が第２表示部４２０のｘ軸負方向側及びｙ軸負方向側に配置されている。広告情報画像ＡＩである第１広告情報画像ＡＩ１は、第２表示部４２０のｘ軸正方向側及びｙ軸負方向側に配置されている。
【０１３２】
文化財画像ＣＰ２が選択されることにより、文化財画像ＣＰ２が文化財画像ＣＰ１に換わって第２表示部４２０の全体に表示される。なお、第２表示部４２０の表示上の配置は、図４に示す配置方法に限定されない。
【０１３３】
このようなシステムにより、第２端末４００の利用者は、アプリ４２０を起動させることにより、文化財情報を知ることができ、観光に役立てることができる。
【０１３４】
また、第２端末４００の利用者は、第２表示部４３０により表示された広告情報（広告情報画像ＡＩ）により近隣のお店の情報も知ることができる。
【０１３５】
図２に示すように、第２端末４００は、複数あってもよい。図２では、第２端末４００が、第２端末４００ａ、第２端末４００ｂ、第２端末４００ｃ、第２端末４００ｄと複数ある。なお、第２端末４００の数は限定されない。
【０１３６】
つまり、１以上の第２端末４００がクラウドサーバ２００にアクセスされてもよい。また、第１端末３００は複数であってもよい。
【０１３７】
＜第２実施形態＞
第２実施形態では、第１実施形態と同様の内容に関しては、省略又は簡略して説明する。
【０１３８】
図３に示すように、第２実施形態では、サーバであるクラウドサーバ２００は、第１端末３００及び第２端末４００がインターネットで接続可能な通信部２１０と、
３６０°ＶＲ画像を含む文化財画像ＣＰ等の文化財情報を第２端末４００の第２表示部４３０に表示させる文化財情報部２２０と、
広告情報画像ＡＩ等の広告情報を第２端末４００の第２表示部４３０に表示させる広告情報部２３０と、
地図情報を第２端末４００の第２表示部４３０に表示させる第１地図情報部２４０と、
観光情報を第２端末４００の第２表示部４３０に表示させる第１観光情報部２５０と、
第２端末４００からのアクセス数をカウントするカウント部２６０と、
カウント部２６０でカウントされたアクセス数に応じて、文化財を所持し第１端末３００の使用者とは異なる神社仏閣に対して、第１端末３００の使用者によって、広告主から支払われた広告料の少なくとも一部が文化財保護費用として支払われる支払額を決定する文化財保護費用算出部２７０と、を含む。
【０１３９】
本実施形態では、文化財画像ＣＰとして、３６０°ＶＲ画像である第３文化財画像ＣＰ３が第２表示部４３０に表示されている。
【０１４０】
図５に示すように、本実施形態の第２端末４００の第２表示部４３０の上方であるｙ軸正方向側には、第４文化財画像ＣＰ４、第５文化財画像ＣＰ５、第６文化財画像ＣＰ６が表示されている。
【０１４１】
第２端末４００の利用者が、第４文化財画像ＣＰ４、第５文化財画像ＣＰ５又は第６文化財画像ＣＰ６を選択することにより、第２表示部４３０に選択された文化財画像が全面に表示される。
【０１４２】
本実施形態では、広告情報画像ＡＩとして、第２広告情報画像ＡＩ２、第３広告情報画像ＡＩ３が第２表示部４３０に表示されている。
【０１４３】
文化財情報部２２０及び広告情報部２３０は、第１実施形態と同様であり、上述の通りである。また、本実施形態では、Ｂｅａｃｏｎを利用しているため、第２端末４００の利用者の位置が把握される。
【０１４４】
本実施形態では、第２端末４００の第２表示部４３０には、第１アイコンＩＣ１及び第２アイコンＩＣ２が表示されており、第２端末４００の利用者は、３６０°ＶＲ画像の表示を操作することができる。
【０１４５】
第１アイコンＩＣ１は、３６０°ＶＲ画像があらかじめ設定された動きにより動いている（再生している）が、その再生のオン・オフを行う。
【０１４６】
第２アイコンＩＣ２が選択されると、第２端末４００の利用者が第２表示部４３０を触れることにより、３６０°ＶＲ画像を手動で動かすことができる。
【０１４７】
なお、第２端末４００の利用者が感覚的に操作できるようにするため、第２
アイコンＩＣ２が選択されなくても、第２端末４００の利用者が第２表示部４３０に触れることにより、３６０°ＶＲ画像を操作することができる。
【０１４８】
図６に示すように、第１端末３００の使用者が広告主（図６では広告主Ａ、広告主Ｂ、広告主Ｃ）から広告料を徴収し、その広告料の少なくとも一部を、文化財を所有する神社仏閣に支払う。
【０１４９】
第１地図情報部２４０では、寺院や神社等の文化財がある場所の地図情報が保存されている。そして、第２端末４００の利用者は、第２表示部４３０に表示されている所定のアイコンである第３アイコンＩＣ３を選択することにより、地図情報を第２表示部４３０に表示することができる。
【０１５０】
本実施形態では、後述する第２地図情報部５２０で表示されないような詳細な地図情報が、第１地図情報部２４０によって、第２表示部４３０に表示される。
【０１５１】
なお、第１地図情報部２４０は、Ｇｏｏｇｌｅマップ（グーグル  インコーポレイテッドの使用商標、「Ｇｏｏｇｌｅ」はグーグル  インコーポレイテッドの登録商標）等のウェブ上の地図情報を第２表示部４３０に表示させるものであってもよい。
【０１５２】
第１観光情報部２５０では、寺院や神社等の文化財等の観光情報、各種イベント情報が保存されている。そして、第２端末４００の利用者は、第２表示部４３０に表示されている所定のアイコンである第４アイコンＩＣ４を選択することにより、観光情報、イベント情報、体験情報を第２表示部４３０に表示することができる。
【０１５３】
第１観光情報部２５０によって第２表示部４３０に表示されるイベント情報又は体験情報と共に、広告情報部２３０によって広告情報画像ＡＩが、第２表示部４３０に表示されてもよい。
【０１５４】
第２実施形態に係る広告システム１００には、クラウドサーバ２００とは別のサーバ５００が含まれる。なお、クラウドサーバ２００とサーバ５００は同一のサーバであってもよい。
【０１５５】
サーバ５００は、交通情報を第２表示部４３０に表示させる交通情報部５１０と、
地図情報を第２表示部４３０に表示させる第２地図情報部５２０と、
観光情報、イベント情報を第２表示部４３０に表示させる第２観光情報部５３０と、
地震等の災害時に避難情報等の緊急情報を第２表示部４３０に表示させる緊急情報部５４０と、
交通情報及び地図情報から目的地までルートを表示し、目的地までの案内を第２表示部４３０に表示させるナビゲーション部５５０と、
クーポンを発行するクーポン部５６０と、を含む。
【０１５６】
交通情報部５１０は、例えば寺院や神社等の目的地に対して、第２端末４００の利用者は、どのような交通機関を利用すればよいか、どの電車を利用すればよいか、どのバスを利用すればよいか等の交通情報を第２表示部４３０に表示する。
【０１５７】
また、交通情報部５１０は、車を利用する場合の渋滞情報や事故情報、交通規制情報等の交通情報も第２表示部４３０に表示する。交通情報部５１０は、ウェブ上の交通情報を第２表示部４３０に表示させるものであってもよい。
【０１５８】
第２地図情報部５２０は、例えば、電車やバスの駅から寺院や神社等の目的地までの地図を第２表示部４３０に表示する。
【０１５９】
本実施形態では、第１地図情報部２４０とは別に第２地図情報部５２０が設けられているが、一つの地図情報部であってもよく、また、いずれか一方であってもよい。
【０１６０】
なお、第２地図情報部５２０は、Ｇｏｏｇｌｅマップ（グーグル  インコーポレイテッドの使用商標、「Ｇｏｏｇｌｅ」はグーグル  インコーポレイテッドの登録商標）等のウェブ上の地図情報を第２表示部４３０に表示させるものであってもよい。
【０１６１】
第２観光情報部５３０は、ウェブ上の観光情報を第２表示部４３０に表示させる。
【０１６２】
なお、第１観光情報部２５０又は第２観光情報部５３０には、飲食店の情報も含まれる。例えば、第２表示部４３０に表示されている所定のアイコンである第５アイコンＩＣ５が選択されることにより、第２端末４００の第２表示部４３０に、第２端末４００が位置する神社仏閣の周辺の飲食店が表示される。
【０１６３】
緊急情報部５４０は、気象庁又は地方公共団体から配信される緊急情報、避難情報を第２表示部４３０に表示させる。
【０１６４】
本実施形態では、Ｂｅａｃｏｎ等により第２端末４００の利用者の位置が把握されるため、その場所に適した緊急情報、避難情報が、緊急情報部５４０が第２表示部４３０に表示する。
【０１６５】
具体的には、第２端末４００の第２表示部４３０に表示されている所定のアイコンである第６アイコンＩＣ６が選択されることにより、第２表示部４３０に地図と共に避難場所及び避難ルートが表示される。
【０１６６】
なお、緊急情報部５４０からの緊急情報、避難情報は、音声によって第２端末４００に伝えられてもよい。
【０１６７】
ナビゲーション部５５０は、交通情報、地図情報及び位置情報をもとに目的地までの案内を第２表示部４３０に表示する。
【０１６８】
具体的には、第２端末４００の第２表示部４３０に表示されている所定のアイコンである第７アイコンＩＣ７が選択されることにより、第２表示部４３０に、第２端末４００の位置情報が表示される。
【０１６９】
そして、ナビゲーション開始ボタン（表示せず）が選択されることにより、ナビゲーションが開始される。
【０１７０】
なお、本実施形態には記載していないが、第２端末４００の第２表示部４３０に天気情報が表示されるものであってもよい。
【０１７１】
クーポン発行部５６０は、広告を掲載している広告主等の店舗等や神社仏閣の近隣の店舗等の割引クーポンやサービス追加クーポンを発行するところである。詳細な内容は後述する。
【０１７２】
（広告システム１００の準備段階のフローチャート）
図７を用いて、広告システム１００の準備段階の一例についてフローチャートで説明する。
【０１７３】
寺院又は神社等の文化財が設けられている敷地内にＷｉ−Ｆｉ等の無線通信機器が配置される（ステップＳ１１）。具体的には、第１端末３００の使用者が、第３者である寺院又は神社等の文化財が設けられている敷地内にＷｉ−Ｆｉ等の無線通信機器を設置する。
【０１７４】
なお、既にＷｉ−Ｆｉ等の無線通信機器が設置されている場合は、その無線通信機器を利用してもよい。
【０１７５】
第１端末３００の使用者は、第１記憶部３２０に文化財画像ＣＰ及びそれに関連する文化財情報並びに広告情報画像ＡＩ及びそれに関連する広告情報を保存する（ステップＳ１２）。
【０１７６】
３６０°ＶＲ画像を含む文化財画像ＣＰ等の文化財情報が、第１通信部３１０及び通信部２１０を介してクラウドサーバ２００の文化財情報部２２０にアップロードされる。つまり、文化財画像ＣＰ等の文化財情報がクラウドサーバ２００に保存される（ステップＳ１３）。
【０１７７】
広告情報画像ＡＩ及びそれに関連する広告情報が、第１通信部３１０及び通信部２１０を介してクラウドサーバ２００の広告情報部２３０にアップロードされる。つまり、広告情報画像ＡＩ等の広告情報がクラウドサーバ２００に保存される（ステップＳ１４）。
【０１７８】
文化財画像ＣＰ及びそれに関連する文化財情報が、通信部２１０を介して第２端末４００の第２表示部４３０に表示される（ステップＳ１５、文化財情報表示工程）。
【０１７９】
広告情報画像ＡＩ及びそれに関連する広告情報が、通信部２１０を介して第２端末４００の第２表示部４３０に表示される（ステップＳ１６、広告情報表示工程）。
【０１８０】
本実施形態では、３６０°ＶＲ画像上に広告情報画像ＡＩが第２端末４００の第２表示部４３０に表示される。
【０１８１】
広告情報画像ＡＩは、３６０°ＶＲ画像と共に第２表示部４３０の画面上で移動してもよく、また、常に第２表示部４３０に固定され、表示されるようにしてもよい。
【０１８２】
地図情報が、通信部２１０を介して第２端末４００の第２表示部４３０に表示される（ステップＳ１７、地図情報表示工程）。
【０１８３】
第２端末４００の第２表示部４３０に表示されている第３アイコンＩＣ３が選択されると、地図情報が第２表示部４３０に表示される。
【０１８４】
観光情報が、通信部２１０を介して第２端末４００の第２表示部４３０に表示される（ステップＳ１８、観光情報表示工程）。
【０１８５】
第２端末４００の第２表示部４３０に表示されている第４アイコンＩＣ４が選択されると、観光情報が第２表示部４３０に表示される。
【０１８６】
交通情報が、通信部２１０を介して第２端末４００の第２表示部４３０に表示される（ステップＳ１９、交通情報表示工程）。
【０１８７】
第２端末４００の第２表示部４３０に表示されている第８アイコンＩＣ８が選択されると、交通情報が第２表示部４３０に表示される。
【０１８８】
緊急情報が、通信部２１０を介して第２端末４００の第２表示部４３０に表示される（ステップＳ２０、緊急情報表示工程）。
【０１８９】
本実施形態では、緊急情報は、自動的に第２端末４００の第２表示部４３０に表示される。
【０１９０】
目的地までの案内情報が、通信部２１０を介して第２端末４００の第２表示部４３０に表示される（ステップＳ２１、案内情報表示工程）。
【０１９１】
第２端末４００の第２表示部４３０に表示されている第７アイコンＩＣ７が選択されると、地図情報と現在地情報が表示され、目的地を入力することにより、案内情報が表示される。
【０１９２】
第１端末３００の使用者は、文化財情報、広告情報、地図情報、観光情報、交通情報、緊急情報又は案内情報が、第２表示部４３０でどのように表示されるか確認することができる（ステップＳ２２）。
【０１９３】
表示されている広告情報画像ＡＩが選択されると、広告情報画像ＡＩに関連する広告情報の具体的な内容が表示される。広告情報に関する公式のＷｅｂサイト等の別のＷｅｂサイトにリンクが張られていてもよい。
【０１９４】
また、広告情報画像ＡＩが選択されると、例えば広告情報画像ＡＩの広告情報が店舗情報の場合、店舗内容の説明、店舗までのアクセス、店舗でのサービス内容、販売品、割引チケット等の情報が表示される。
【０１９５】
（広告システム１００の利用態様のフローチャート）
次に、図６及び図８を用いて、広告システム１００の利用態様の一例についてフローチャートで説明する。
【０１９６】
第２端末４００の利用者は、寺院又は神社等の文化財が設けられている敷地内に設置されたＷｉ−Ｆｉ等の無線通信を利用することにより、第２端末４００で、インターネットにアクセスする（ステップＳ３１）。
【０１９７】
広告システム１００に広告情報を提供する広告主（図６では広告主Ａ、広告主Ｂ、広告主Ｃ）から広告料が徴収されることにより、当該広告料の少なくとも一部を用いて、第２端末４００の利用者によるＷｉ−Ｆｉ等の無線通信の使用料を無料とすることができる。
【０１９８】
本実施形態では、第１端末３００の使用者が、広告情報を提供する広告主から広告料を徴収し、その広告料の少なくとも一部を、文化財の所有者である神社仏閣に支払う。
【０１９９】
なお、第１端末３００の使用者の依頼によって、第三者が、広告情報を提供する広告主から広告料を徴収し、その広告料の少なくとも一部を、文化財の所有者である神社仏閣に対して支払ってもよい。
【０２００】
したがって、文化財を所有する神社仏閣は、設備投資等の費用的リスクを負うことなく、文化財保護費用として広告料の少なくとも一部を得ることができる。
【０２０１】
第２端末４００の利用者は、第２通信部４１０及び通信部２１０を介してクラウドサーバ２００にアクセスすることにより、第２端末４００の第２表示部４３０に、３６０°ＶＲ画像を含む文化財画像ＣＰ等の文化財情報及び広告情報画像ＡＩ等の広告情報を表示することができる。
【０２０２】
つまり、第２端末４００の利用者がクラウドサーバ２００にアクセスすることにより、文化財情報及び広告情報が第２端末４００の第２表示部４３０に表示される（ステップＳ３２）。
【０２０３】
第２端末４００の利用者は、第２表示部４３０に表示された文化財画像ＣＰ（図４では、第２文化財画像ＣＰ２、図５では、第５文化財画像ＣＰ５、第６文化財画像ＣＰ６、第７文化財画像ＣＰ７）を選択することにより、文化財画像ＣＰ及びそれに関連する説明文等を第２表示部４３０で見ることができ、文化財情報を入手することができる。
【０２０４】
つまり、第２表示部４３０に表示された文化財画像ＣＰが選択されることにより、具体的な文化財情報が、第２表示部４３０に表示される（ステップＳ３３）。
【０２０５】
したがって、観光客等の第２端末４００の利用者は、第２表示部４３０に表示される文化財情報及び広告情報を観光に役立てることができる。
【０２０６】
また、観光客等の第２端末４００の利用者は、本発明に係る広告システム１００を利用することにより、広告料の少なくとも一部が文化財保護費用に充当されるため、文化財保護という社会貢献をすることができる。
【０２０７】
つまり、第１端末３００の使用者が、広告料の少なくとも一部を、文化財を有する神社仏閣に文化財保護費用として支払うが、この支払いは、観光客等の第２端末４００の利用者が第２表示部４３０に表示される広告情報を見ること（アクセスすること）によって発生するものであるため、第２端末４００の使用者にとっても間接的な社会貢献になる。
【０２０８】
第２端末４００の利用者は、第２表示部４３０に表示された広告情報画像ＡＩを選択することにより、広告情報画像ＡＩ及びそれに関連する説明文、アクセス情報、サービス内容、割引チケット等の広告情報を入手することができる。特に、第２端末４００の利用者は、文化財が設けられている場所の近隣の情報を入手することができ、観光に活用することができる。
【０２０９】
つまり、第２表示部４３０に表示された広告情報画像ＡＩが選択されることにより、具体的な広告情報が、第２表示部４３０に表示される（ステップＳ３４）。
【０２１０】
広告情報画像ＡＩ等の広告情報が第２端末４００の第２表示部４３０に表示されるようになった場合、広告料の少なくとも一部が、文化財保護費用として、文化財が設けられている寺院や神社等に支払われる。
【０２１１】
具体的には、サーバ２００のカウント部２６０は、第２端末４００からサーバ２００にアクセスされた回数をカウントする（カウント工程）。
【０２１２】
そして、サーバ２００の文化財保護費用算出部２７０は、当該カウント数に応じて、文化財を有する神社仏閣に対して支払う文化財保護費用を算出する（文化財保護費用算出工程）。
【０２１３】
そして、広告主は、サーバ２００へのアクセス数又は広告へのアクセス数に応じて第１端末３００の使用者に対して広告料を支払う（広告料支払工程）。
【０２１４】
そして、第１端末３００の使用者は、広告主から得た広告料の少なくとも一部を、文化財保護費用として、文化財を有する神社仏閣に支払う。具体的には、文化財保護費用算出部２７０によって算出された文化財保護費用を、第１端末３００の使用者は、文化財を有する神社仏閣に支払う。
【０２１５】
つまり、広告料の少なくとも一部は、文化財保護費用として充当される（ステップＳ３５、文化財保護費用充当工程）。
【０２１６】
文化財保護費用が文化財の修繕等に用いられることにより、文化財が保護される（ステップＳ３６、文化財保護工程）。
【０２１７】
これにより、より一層、文化財が設けられている寺院や神社等に、観光客等の第２端末４００の利用者が来るようになる。
【０２１８】
そして、文化財が保護されることにより、文化財が設けられている地域に観光客が来るため、国又は地方公共団体にとっては、地域経済の活性化という利点がある。  
【０２１９】
そして、文化財が設けられている地域が活性化することにより、大企業等の企業が、文化財が設けられている地域に注目し投資することより、一層地域経済が活性化する。
【０２２０】
広告主の企業等は、文化財情報と共に広告情報が第２端末４００の第２表示部４３０に表示されることにより、広告に関する店舗、商品等のブランド力が向上する。
【０２２１】
また、広告主の企業等は、文化財情報と共に広告情報が第２端末４００の第２表示部４３０に表示されることにより生じる広告料の少なくとも一部が、文化財保護に用いられることにより、地域貢献、社会貢献、ＣＳＲ活動をすることができる。
【０２２２】
（クーポンの発行）
店舗等の商品割引クーポンやサービス付加クーポン等のクーポンは、クーポン発行部５６０によって発行される。
【０２２３】
クーポン発行部５６０は、広告動画Ｍをアップロード及び再生をする広告動画部５６１と、
クーポンを選択及び決定をするクーポン選択発行部５６２と、を含む。
【０２２４】
具体的に述べると、第９アイコンＩＣ９は、広告動画Ｍの動画用ＵＲＬと紐付けされている。そのため、第２端末４００の利用者が第９アイコンＩＣ９を選択すると、広告動画Ｍは、第２端末４００の第２表示部４３０に表示され再生する。つまり、広告動画部５６１が第２表示部４３０で広告動画Ｍを再生する。
【０２２５】
広告動画Ｍの再生が所定時間終了すると、クーポン選択画面Ｃ１が第２端末４００の第２表示部４３０に表示される。
【０２２６】
つまり、クーポン選択発行部５６２が、クーポン選択画面Ｃ１を第２表示部４３０に表示させる。
【０２２７】
第２端末４００の利用者が、クーポン選択画面Ｃ１に表示されているクーポンを選択することにより、第２表示部４３０は、確認画面ＣＦを経由してクーポン発行済画面Ｃ２となる。つまり、クーポン選択発行部５６２がクーポンを発行する。
【０２２８】
クーポン発行済画面Ｃ２では、クーポンが表示されている。第２端末４００の利用者は、そのクーポンが表示された画面を店舗の店員等に見せることで、クーポンを使用することができる。
【０２２９】
なお、クーポンにバーコードが表示され、店舗でそのバーコードが読み込まれることにより、クーポンが使用できるようにしてもよい。
【０２３０】
第２端末４００の利用者がクーポンを取得した場合、つまり、第２端末４００の第２表示部４３０にクーポンが表示された場合、その履歴は、履歴データＡＲに記録される。
【０２３１】
履歴データＡＲに記録された場合、第２端末４００の利用者は、再度広告動画Ｍを視聴することにより、再度クーポンを取得することができる。
【０２３２】
店舗データＳは、クーポン選択画面Ｃ１及びクーポン発行済画面Ｃ２とリンクしている。つまり、店舗データＳに記録されている店舗情報に基づいてクーポンが作成される。
【０２３３】
管理画面ａｄｍは、店舗データＳ、動画用ＵＲＬ、広告動画Ｍ、クーポン選択画面Ｃ１及びクーポン発行済画面Ｃ２を管理する画面である。
【０２３４】
（クーポン発行のフローチャート）
第２端末４００の利用者が、第２端末４００の第２表示部４３０に表示されている第９アイコンＩＣ９を選択する（ステップＳ４１）。
【０２３５】
第９アイコンＩＣ９には、動画用ＵＲＬがリンクされており、第２表示部４３０に広告動画Ｍが再生される（ステップＳ４２、広告動画再生工程）。
【０２３６】
広告動画Ｍが所定時間再生される又は終了すると、第２表示部４３０にクーポン選択画面Ｃ１が表示される（ステップＳ４３、クーポン選択発行工程）。
【０２３７】
第２端末４００の利用者が、例えば利用したい店舗の割引クーポン等のクーポンを選択すると、第２表示部４３０には、確認画面ＣＦが表示される（ステップＳ４４、クーポン選択発行工程）。
【０２３８】
第２端末４００の利用者は、確認画面ＣＦにおいてクーポン等の内容を確認し、了承ボタン等を選択することにより、クーポンが発行される。つまり、クーポンが発行され、クーポン発行済画面Ｃ２が第２表示部４３０に表示される（ステップＳ４５、クーポン選択発行工程）。
【０２３９】
確認画面ＣＦにおいて、第２端末４００の利用者が了承ボタン等を選択し、内容を確認した場合、その履歴は、履歴データＡＲに記録される（ステップＳ４６、履歴記録工程）。
【０２４０】
第２端末４００の利用者は、クーポン発行の履歴が履歴データＡＲに記録されているため、再度クーポンを取得したい場合は再度広告動画Ｍを視聴する必要がある（ステップＳ４７）。
【０２４１】
本発明は、その趣旨を逸脱しない範囲で種々の改良、修正、又は変形を加えた態様でも実施できる。
【符号の説明】
【０２４２】
１００…広告システム
２００…クラウドサーバ（サーバ）
２１０…通信部
２２０…文化財情報部
２３０…広告情報部
２４０…第１地図情報部（地図情報部）
２５０…第１観光情報部（観光情報部）
２６０…カウント部
２７０…文化財保護費用算出部
３００…第１端末（端末）
３１０…第１通信部
３２０…第１記憶部
３３０…第１表示部（表示部）
４００…第２端末（端末）
４１０…第２通信部
４２０…アプリ（アプリケーション）
４３０…第２表示部（表示部）
５００…サーバ
５１０…交通情報部
５２０…第２地図情報部（地図情報部）
５３０…第２観光情報部（観光情報部）
５４０…緊急情報部
５５０…ナビゲーション部
５６０…クーポン発行部
５６１…広告動画部
５６２…クーポン選択発行部
【図１】
2019071040.tif 000003
【図２】
2019071040.tif 000004
【図３】
2019071040.tif 000005
【図４】
2019071040.tif 000006
【図５】
2019071040.tif 000007
【図６】
2019071040.tif 000008
【図７】
2019071040.tif 000009
【図８】
2019071040.tif 000010
【図９】
2019071040.tif 000011
【図１０】
2019071040.tif 000012
【図１１】
2019071040.tif 000013